(57)【要約】  【課題】  縫製プログラムの読み込み動作中や書き込み動作中であることを、作業作業者が視認可能に識別表示できるようすること。  【解決手段】  ＣＦカードに格納されている縫製プログラムを読み込む際に、先ずプログラム番号が表示装置に表示され（Ｓ11）、縫製プログラムの読み込み処理が開始されると（Ｓ14：Yes ）、表示装置に文字「Ｐ」により表示装置に識別表示される（Ｓ15）。タイマーによる計時動作が開始され（Ｓ16）、読み込み処理が終了した場合であっても（Ｓ17）、読込み開始から所定時間がタイムアップするまで、文字「Ｐ」により表示装置に識別表示される（Ｓ18：No）。【選択図】  図４
2006271587.tif 000002
【特許請求の範囲】
【請求項１】
縫製手段と、縫製プログラムに従って縫製を行うように縫製手段を制御する制御手段とを備えたプログラム式電子ミシンにおける表示装置において、
外部から又は縫製プログラム格納用記録媒体から縫製プログラムを前記制御手段に読み込む際に、縫製プログラム読み込み中であることを識別表示する識別表示手段を備え、
前記識別表示手段は、縫製プログラムの読み込み開始から読み込み終了後の任意の時期に亙って所定時間の間前記の識別表示を行うように構成された、
ことを特徴とするプログラム式電子ミシンの表示装置。
【請求項２】
縫製手段と、縫製プログラムに従って縫製を行うように縫製手段を制御する制御手段とを備えたプログラム式電子ミシンにおける表示装置において、
外部又は縫製プログラム格納用記録媒体へ縫製プログラムを書き込む際に、縫製プログラム書き込み中であることを識別表示する識別表示手段を備え、
前記識別表示手段は、縫製プログラムの書き込み開始から書き込み終了後の任意の時期に亙って所定時間の間前記の識別表示を行うように構成された、
ことを特徴とするプログラム式電子ミシンの表示装置。
【請求項３】
前記識別表示手段は、前記の識別表示を特定の文字の表示により行うことを特徴とする請求項１又は２に記載のプログラム式電子ミシンの表示装置。
【請求項４】
前記識別表示手段は、前記の識別表示を、縫製プログラムの読み込みを指令する読み込み指令キー又は縫製プログラムの書き込みを指令する書き込み指令キーの付近に設けた表示ランプにより行うことを特徴とする請求項１又は２に記載のプログラム式電子ミシンの表示装置。
【発明の詳細な説明】
【技術分野】
【０００１】
本発明は、縫製手段と、縫製プログラムに従って縫製を行うように縫製手段を制御する制御手段とを備えたプログラム式電子ミシンにおける表示装置に関し、特に縫製プログラムの読み込み中や書き込み中であることを識別し易くするための識別表示手段を備え、縫製プログラムの読み込み終了後や書き込み終了後の所定時間の間、縫製プログラムの読み込み中や書き込み中であることを識別表示できるようにしたものに関する。
【背景技術】
【０００２】
従来、プログラム式電子ミシンで用いるための表示装置が種々提案されている。例えば、特許文献１に記載のプログラム式電子ミシンは、縫製プログラム等のデータを磁気記録媒体を使用することなく、一時的に縫製プログラムを記憶させることが可能なプログラム式電子ミシンが開示されている。これによれば、フレキシブルディスク等の記録媒体に記憶されている縫製プログラムの読み込みが可能なだけでなく、縫製プログラムを作成するプログラマーに記憶されている縫製プログラムの読み込みも可能な構成になっている。
【０００３】
この特許文献１に記載のプログラム式電子ミシンを含め、従来は、電源を入れた直後及び縫製プログラムを実行中、プログラム式電子ミシンの操作パネル上の表示装置には、通常、所期設定された縫製プログラム番号又は、前回終了時に選択していた縫製プログラム番号を表示するように構成されている。そして、縫製プログラムをフレキシブルディスク等の記録媒体から読み込む際、又は、プログラマーに記憶されている縫製プログラムを読み込む際は、縫製プログラムの読み込み中であることを何らかの方法で当該表示装置に判別表示させる技術が通常用いられている。
【特許文献１】特開平１０−３２３４７１号公報
【発明の開示】
【発明が解決しようとする課題】
【０００４】
前述した特許文献１に記載のプログラム式電子ミシンを含む従来技術において、操作パネル上の表示装置には、磁気記録媒体等から実際に縫製プログラムを読み込ませている最中のみ、データ読み込み中であることを判別表示可能な構成となっており、磁気記録媒体等からのデータの読み込みが完了すると、実行させる縫製プログラム番号等の表示に切り換わる構成となっている。
【０００５】
しかし、近年、縫製プログラムを記憶させる記録媒体として、従来のフレキシブルディスク等に代えて、処理速度が非常に高速なコンパクトフラッシュ（「コンパクトフラッシュ」は登録商標である。）メモリカード（以下、「ＣＦカード」という。）等のフラッシュメモリが用いられるようになり、縫製プログラムの読み込みに要する処理時間が大幅に短縮したので、縫製プログラムの読み込み中である判別表示が、ユーザーが視認することが出来ない程の短時間で消えてしまい、ユーザーは、縫製プログラムの読み込みが完了した事を認識できない、等の問題があった。
【０００６】
そこで、本発明の目的は、縫製プログラムの読み込みや書き込みが完了した時期ではなく、縫製プログラムの読み込み開始や書き込み開始から、ユーザーが視認できる程度の一定時間、縫製プログラムの読み込み中や書き込み中であることを表示可能なプログラム式電子ミシンの表示装置を提供することである。
【課題を解決するための手段】
【０００７】
請求項１に係るプログラム式電子ミシンの表示装置は、縫製手段と、縫製プログラムに従って縫製を行うように縫製手段を制御する制御手段とを備えたプログラム式電子ミシンにおける表示装置において、外部から又は縫製プログラム格納用記録媒体から縫製プログラムを制御手段に読み込む際に、縫製プログラム読み込み中であることを識別表示する識別表示手段を備え、識別表示手段は、縫製プログラムの読み込み開始から読み込み終了後の任意の時期に亙って所定時間の間、前記の識別表示を行うように構成されたものである。
【０００８】
この表示装置の前記識別表示手段によれば、ＣＦカードからの縫製プログラムの読み込みが実際には完了していても、それに対応して識別表示は終了せず、縫製プログラムの読み込み開始から読み込み終了後の任意の時期に亙って、所定の時間、縫製プログラム読み込み中であることを識別表示したままであるため、縫製プログラムの読み込みに要した処理速度にかかわらず、任意の一定時間に亙って識別表示させることができる。
【０００９】
請求項２に係るプログラム式電子ミシンの表示装置は、縫製手段と、縫製プログラムに従って縫製を行うように縫製手段を制御する制御手段とを備えたプログラム式電子ミシンにおける表示装置において、外部又は縫製プログラム格納用記録媒体へ縫製プログラムを書き込む際に、縫製プログラム書き込み中であることを識別表示する識別表示手段を備え、前記識別表示手段は、縫製プログラムの書き込み開始から書き込み終了後の任意の時期に亙って所定時間の間前記の識別表示を行うように構成されたものである。
【００１０】
この表示装置の前記識別表示手段によれば、ＣＦカード等への縫製プログラムの書き込みが実際には完了していても、それに対応して識別表示は終了せず、縫製プログラムの書き込み開始から書き込み終了後の任意の時期に亙って、所定の時間、縫製プログラム書き込み中であることを識別表示したままであるため、縫製プログラムの書き込みに要した処理速度にかかわらず、任意の一定時間に亙って識別表示させることができる。
【００１１】
請求項３に係るプログラム式電子ミシンの表示装置は、請求項１又は２の発明において、前記識別表示手段が、前記の識別表示を特定の文字の表示により行うように構成されたものである。
【００１２】
請求項４に係るプログラム式電子ミシンの表示装置は、請求項１又は２の発明において、前記識別表示手段が、前記の識別表示を、縫製プログラムの読み込みを指令する読み込み指令キー又は縫製プログラムの書き込みを指令する書き込み指令キーの付近に設けた表示ランプにより行うものである。
【発明の効果】
【００１３】
請求項１の発明によれば、縫製手段と、縫製プログラムに従って縫製を行うように縫製手段を制御する制御手段とを備えたプログラム式電子ミシンにおける表示装置において、外部から又は縫製プログラム格納用記録媒体から縫製プログラムを制御手段に読み込む際に、縫製プログラムの読み込み中であることを識別表示する識別表示手段を備え、その識別表示手段は、縫製プログラムの読み込み開始から読み込み終了後の任意の時期に亙って所定時間の間前記の識別表示を行うように構成されているので、縫製プログラムの読み込みが、人間の視力でもって認識不可能な程の短時間で完了した場合であっても、例えば１秒以上の人間の視力でもって認識可能な程度の時間に亙って識別表示が行われるので、ユーザーが縫製プログラムの読み込み動作が完了したことを確実に認識することができる。  
【００１４】
請求項２の発明によれば、縫製手段と、縫製プログラムに従って縫製を行うように縫製手段を制御する制御手段とを備えたプログラム式電子ミシンにおける表示装置において、外部又は縫製プログラム格納用記録媒体へ縫製プログラムを書き込む際に、縫製プログラム書き込み中であることを識別表示する識別表示手段を備え、その識別表示手段は、縫製プログラムの書き込み開始から書き込み終了後の任意の時期に亙って所定時間の間前記の識別表示を行うように構成されているので、縫製プログラムの書き込みが、人間の視力でもって認識不可能な程の短時間で完了した場合であっても、例えば１秒以上の人間の視力でもって認識可能な程度の時間に亙って識別表示が行われるので、ユーザーが縫製プログラムの書き込み動作が完了したことを確実に認識することができる。
【００１５】
請求項３の発明によれば、前記識別表示手段は、前記の識別表示を特定の文字の表示により行うので、選択した縫製プログラム番号が表示された通常の表示状態から、例えば「Ｐ」等の文字表示である識別表示状態に切り換わり、縫製プログラムの読み込みや書き込み開始後、所定時間経過後に、元の選択した縫製プログラム番号表示に切り換わるため、ユーザーはその識別表示を見逃すことなく、縫製プログラムの読み込みや書き込みが完了したことを、容易に認識することができる。その他請求項１又は２と同様の効果を奏する。
【００１６】
請求項４の発明によれば、前記識別表示手段は、前記の識別表示を、縫製プログラムの読み込みを指令する読み込み指令キー又は縫製プログラムの書き込みを指令する書き込み指令キーの付近に設けた表示ランプにより行うので、選択した縫製プログラム番号が表示された状態のまま、表示ランプの点灯から点滅の切換え、又は、表示ランプの色の切換え等により、縫製プログラム読み込みが完了したこと又は縫製プログラムの書き込みが完了したことを、指令キーの付近に設けた表示ランプにより容易に認識することができる。その他請求項１又は２と同様の効果を奏する。
【発明を実施するための最良の形態】
【００１７】
本実施例におけるプログラム式電子ミシンの表示装置は、縫製プログラムを読み込みや書き込み開始からユーザーが視認できる程度の一定時間、縫製プログラムの読み込みや書き込み中であることを識別表示可能にしたものである。
【実施例】
【００１８】
以下、本発明の実施例について図面を参照して説明する。
図１に示すように、プログラム式電子ミシンＭは、作業台２上にベッド部３と、ベッド部３の右端部から立設された脚柱部４と、脚柱部４の上端からベッド部３に対向するように左方へ延びるアーム部５を有する。
【００１９】
ベッド部３にはシリンダベッド３ａが前方に突出状に設けられている。ベッド部３内には、図示外のＸ方向駆動機構及びＹ方向駆動機構が設けられ、シリンダベッド３ａ上に配設された縫製対象物を保持する保持体（ワークホルダ）７がこれらＸ方向駆動機構とＹ方向駆動機構により、作業者に対して左右方向であるＸ方向（＋Ｘ，−Ｘ）と、作業者に対して前後方向であるＹ方向（＋Ｙ，−Ｙ）とに、つまり直交２方向へ独立に移動駆動されるようになっている。
【００２０】
作業台２上には、各種の縫製パラメータや縫製速度等の各種の縫製情報が表示される操作パネル８が設けられるとともに、プログラム式電子ミシンＭに電気的に接続可能なプログラマ（図示略）が載置される。また、作業台２の右下部には、ＣＦカード９ａを挿入するためのＣＦカード挿入口９が設けられている。
【００２１】
ここで、プログラム式電子ミシンＭの制御系について簡単に説明する。図２に示すように、制御装置１０は、入力インターフェース１１と、ＣＰＵ１２とＲＯＭ１３及びＲＡＭ１４と電気的に書換え可能な不揮発性のフラッシュメモリ１５と、ＣＦ入出力インターフェース１６と、出力インターフェース１７と、これらを相互に接続するデータバス等のバス１８と、駆動回路１９〜２１等を有する。
【００２２】
入力インターフェース１１には、起動停止スイッチ２２と、操作パネル８と、ミシンモータ２４の回転位置（ミシン主軸の回転位置）や回転速度を検出する回転位置検出センサ２３等が接続されている。出力インターフェース１７には、ミシンモータ２４の為の駆動回路１９と、Ｘ方向駆動機構を駆動させるＸ送りモータ２５の為の駆動回路２０と、Ｙ方向駆動機構を駆動させるＹ送りモータ２６の為の駆動回路２１とが接続されている。
【００２３】
ＲＯＭ１３には、各種の駆動機構を駆動する為のモータ２４〜２６を駆動制御する駆動制御プログラム、複数種類のパターン模様のためのパターン縫製データ、後述する読み込み中又は書き込み中である事を識別表示させる所定時間等が予め格納されている。
【００２４】
ＲＡＭ１４には、縫製処理に際して必要な縫製位置や種別情報を記憶する縫製位置メモリ及び種別情報メモリと、ＣＰＵ４１で演算処理した演算結果を収容する各種メモリが設けられており、ポインタ、カウンタ等が必要に応じて設けられている。
【００２５】
次に、操作パネル８とこの操作パネル８に設けた表示装置４０について、図３を参照して説明する。図３に示すように、操作パネル８の前面には、３桁の７セグメント表示器からなる縫製プログラム番号表示装置４０、２桁の７セグメント表示器からなる項目番号表示部３５、縫製プログラム番号表示装置４０に表示される縫製プログラム番号を増減させる為の増加キー４１と減少キー４２、項目番号表示部３５に表示される項目番号を増減させる為の増加キー３７と減少キー３８、操作を確定するためのエンターキー５０、その他リセットキー３０、フィードキー３１、上糸カット＆セットキー３２、下糸カット＆セットキー３３、セレクトキー３４等がある。
【００２６】
プログラム式電子ミシンＭの操作パネル８の表示装置４０には、プログラム式電子ミシンＭの電源を入れると、通常、デフォルトの縫製プログラム番号又は前回終了時に選択されていた縫製プログラム番号が表示される。ユーザーは、ＣＦカード９ａをＣＦカード挿入口９に挿し込み、増加キー４１や減少キー４２を操作して、所望の縫製プログラム番号を表示装置４０に表示させ、エンターキー５０を押すことで、ＣＦカード９ａに格納されている縫製プログラムの読み込みが行われる。
【００２７】
また、本プログラム式電子ミシンＭは、選択した縫製プログラムを他のプログラム式電子ミシンでも実行させたい場合、縫製プログラムをＣＦカード９ａへ書き込むことも可能である。この場合、縫製プログラムを書き込むのに可能な十分な空き容量のあるＣＦカード９ａをＣＦカード挿入口９に挿し込み、エンターキー５０を操作することで、選択した番号の縫製プログラムのデータがＣＦカード９ａに書き込みが行われる。
【００２８】
次に、プログラム式電子ミシンＭの制御装置１０で実行される制御のルーチンについて、プログラム式電子ミシンＭの表示方法を含めて、図４、図５のフローチャートに基づいて説明する。但し、図中の符号Ｓｉ（ｉ＝１１、１２、１３・・・）は各ステップである。ここで、図４に示す読込み制御は、プログラム式電子ミシンＭの電源がオンにされた際、又は縫製プログラム番号が変更された際に、縫製プログラムの読み込みに際して実行される。図５に示す書き込み制御は、編集した縫製プログラムを磁気記録媒体又はプログラマー（図示略）に保存するに際して実行される。
【００２９】
縫製プログラムの読み込み制御が開始されると、先ず、操作パネル８の表示装置４０に、初期表示設定されている縫製プログラム番号又は前回において選択された縫製プログラム番号が表示される（Ｓ11）。例えば、図６−１に示すように、縫製プログラム番号「００８」が表示される。次に、増加キー４１又は減少キー４２が操作されると（Ｓ12；Yes ）、表示装置４０に変更後の縫製プログラム番号が表示される（Ｓ13）。一方、増加キー４１又は減少キー４２が操作されない場合は（Ｓ12；No）、表示装置４０に表示されている縫製プログラム番号は変化しない。
【００３０】
次に、縫製プログラム番号が変更され（Ｓ13）、読み込みキーとしてのエンターキー５０が操作された場合には（Ｓ14；Yes ）、表示装置４０の表示は読み込み中であることを識別表示させるため、表示装置４０において、図６−２に示すように、「Ｐ」表示に切り換えられる（Ｓ15）。また、読み込みキーとしてのエンターキー５０が操作されない場合には（Ｓ14；No）、Ｓ12へ戻る。
【００３１】
また、縫製プログラム番号が変更されずに（Ｓ12；No）、縫製プログラムの再読み込みのみを実行することも可能であり、この場合も、読み込みキーとしてのエンターキー５０が操作された場合（Ｓ14；Yes ）、前述したように表示装置４０における表示が「Ｐ」表示に切り換わる（Ｓ15）。
【００３２】
操作パネル８の表示装置４０の表示が図６−２に示すように「Ｐ」表示に切り換えられると（Ｓ15）、タイマーの計時動作がスタートする（Ｓ16）。次に、選択された縫製プログラム番号の縫製プログラムをＣＦカード挿入口９にセットされたＣＦカード９ａから読み込む読み込み処理が実行される（Ｓ17）。
【００３３】
この読み込み処理が完了し（Ｓ17）、タイマーが所定時間経過していれば（Ｓ18；Yes ）、表示装置４０の表示が図６−１に示す「００８」のように、読み込みが完了した縫製プログラム番号が表示される（Ｓ11）。しかし、縫製プログラムの読み込み処理が完了した場合であっても（Ｓ17）、タイマーが所定時間経過していない場合には（Ｓ18；No）、操作パネル８の表示装置４０の表示は図６−２に示す「Ｐ」表示のままであり、タイマーが所定時間経過するまで、S18 が繰り返して実行され、タイマーがタイムアップした時点で（Ｓ18：Yes ）、Ｓ11が実行される。
【００３４】
ここで、図４に示す読込み制御の特にＳ15〜Ｓ18等により識別表示手段が構成されている。
このように、ＣＦカード９ａから縫製プログラムを制御手段１０に読み込む際に、縫製プログラムの読み込み中であることを、縫製プログラムの読み込み開始から読み込み終了後の任意の時期に亙って所定時間の間文字「Ｐ」により識別表示を行うように構成されているので、縫製プログラムの読み込みが、人間の視力でもって認識不可能な程の短時間で完了した場合であっても、例えば１秒以上の人間の視力でもって認識可能な程度の時間に亙って識別表示が行われるので、ユーザーが縫製プログラムの読み込み動作が完了したことを確実に認識することができる。
【００３５】
また、読込み動作中には、選択した縫製プログラム番号が表示された通常の表示状態から、「Ｐ」の文字による識別表示状態に切り換わり、縫製プログラムの読み込み開始後、所定時間経過後に、元の選択した縫製プログラム番号表示に切り換わるため、ユーザーはその識別表示を見逃すことなく、縫製プログラムの読み込みが完了したことを、容易に認識することができる。
【００３６】
次に、図５に基づいて縫製プログラムの書き込み制御について説明する。縫製プログラムを磁気記録媒体又はプログラマー（図示略）への書き込み処理が実行されると、先ず、操作パネル８の表示装置４０に、デフォルト設定されている縫製プログラム番号又は前回において選択された縫製プログラム番号が表示される（Ｓ21）。例えば、図６−１に示すように、縫製プログラム番号「００８」が表示される。次に、増加キー４１又は減少キー４２が操作されると（Ｓ22；Yes ）、表示装置４０に変更後の縫製プログラム番号が表示される（Ｓ23）。一方、増加キー４１又は減少キー４２が操作されない場合は（Ｓ22；No）、表示装置４０の縫製プログラム番号は変化しない。
【００３７】
次に、縫製プログラム番号が変更され（Ｓ23）、書き込みキーとしてのエンターキー５０が操作された場合（Ｓ24；Yes ）、表示装置４０の表示は書き込み中であることを識別表示させるため、表示装置４０において、図６−２に示すように、「Ｐ」表示に切り換えられる（Ｓ25）。また、書き込みキーとしてのエンターキー５０が操作されない場合には（Ｓ24；No）、Ｓ22へ戻る。
【００３８】
また、縫製プログラム番号の変更を行わずに（Ｓ22；No）、縫製プログラムの再書き込みのみを実行することも可能であり、この場合も、書き込みキーとしてのエンターキー５０が操作された場合（Ｓ24；Yes ）、前述したように、表示装置４０における表示が「Ｐ」表示に切り換わる（Ｓ25）。
【００３９】
操作パネル８の表示装置４０の表示が図６−２に示すように「Ｐ」表示に切り換えられると（Ｓ25）、タイマーの計時動作がスタートする（Ｓ26）。次に、選択された縫製プログラム番号の縫製プログラムをＣＦカード９ａに書き込む書き込み処理が実行される（Ｓ27）。
【００４０】
この書き込み処理が完了し（Ｓ27）、タイマーが所定時間経過していれば（Ｓ28；Yes ）、表示装置４０の表示が図６−１に示す「００８」のように、書き込み処理が完了した縫製プログラム番号が表示される（Ｓ21）。しかし、書き込み処理が完了した場合であっても（Ｓ27）、タイマーが所定時間経過していない場合は（Ｓ28；No）、操作パネル８の表示装置４０の表示は図６−２に示す「Ｐ」表示のままであり、タイマーが所定時間経過するまで、S28 の処理が繰り返し実行され、タイマーがタイムアップした時点で（Ｓ18：Yes ）、Ｓ21が実行される。
【００４１】
ここで、図５に示す書き込み制御の特にＳ25〜Ｓ28等により識別表示手段が構成されている。
【００４２】
このように、ＣＦカード９ａへ縫製プログラムを書き込む際に、縫製プログラム書き込み中であることを、縫製プログラムの書き込み開始から書き込み終了後の任意の時期に亙って所定時間の間、文字「Ｐ」により識別表示を行うように構成されているので、縫製プログラムの書き込みが、人間の視力でもって認識不可能な程の短時間で完了した場合であっても、例えば１秒以上の人間の視力でもって認識可能な程度の時間に亙って識別表示が行われるので、ユーザーが縫製プログラムの書き込み動作が完了したことを確実に認識することができる。
【００４３】
また、書き込み動作中には、縫製プログラム番号が表示された通常の表示状態から、「Ｐ」の文字による識別表示状態に切り換わり、縫製プログラムの書き込み開始後、所定時間経過後に、元の選択した縫製プログラム番号表示に切り換わるため、ユーザーはその識別表示を見逃すことなく、縫製プログラムの書き込みが完了したことを、容易に認識することができる。
【００４４】
次に、前記実施例を部分的に変更した変更形態について説明する。
１］読み込み動作中や書き込み動作中である事を識別表示させる所定時間は、上記実施例では予めＲＯＭに記憶されていることを想定して述べたが、ユーザーが任意の所定時間を設定変更できるように構成してもよい。
【００４５】
２］書き込みキーや書き込みキーとしてのエンターキー５０を操作することで、読み込み処理や書き込み処理を開始することを想定して述べたが、操作パネル８上に、エンターキー５０の代わりに、縫製プログラムの読み込みを指令するための読み込みボタン、縫製プログラムの書き込みを指令するための書き込みボタンを夫々設け、このボタンが操作された時に読み込み処理や書き込み処理が開始するように構成してもよい。
【００４６】
３］縫製プログラムの読み込み中や書き込み中であることを識別表示する方法としては、表示装置４０に、図４の（S15 ）又は図５（Ｓ25）における「Ｐ」表示に代えて、図７で示すように、操作パネル８上に設けたＬＥＤランプ５１を、縫製プログラムの読み込み動作或いは書き込み動作の開始後から任意の所定時間の間、表示色を変化させ点灯させるように構成してもよい。
【００４７】
本発明は以上説明した実施例に限定されるものではなく、当業者であれば、本発明の趣旨を逸脱しない範囲で前記実施例に種々の変更を付加して実施することができ、本発明はそれらの変更例をも包含するものである。
【図面の簡単な説明】
【００４８】
【図１】本発明の実施例に係るプログラム式電子ミシンの斜視図である。
【図２】プログラム式電子ミシンの制御系のブロック図である。
【図３】プログラム式電子ミシンに設けた操作パネルの正面図である。
【図４】読込み制御のフローチャートである。
【図５】書き込み制御のフローチャートである。
【図６−１】表示装置における縫製プログラム番号の表示例を示す図である。
【図６−２】表示装置における識別表示を示す図である。
【図７】変更形態に係る図３相当図である。
【符号の説明】
【００４９】
Ｍ      プログラム式電子ミシン
８      操作パネル
９      ＣＦカード挿入口
９ａ    ＣＦカード
１０    制御装置
４０    表示装置
４１    増加キー
４２    減少キー
５０    エンターキー
５１    ＬＥＤランプ
【図１】
2006271587.tif 000003
【図２】
2006271587.tif 000004
【図３】
2006271587.tif 000005
【図４】
2006271587.tif 000006
【図５】
2006271587.tif 000007
【図６−１】
2006271587.tif 000008
【図６−２】
2006271587.tif 000009
【図７】
2006271587.tif 000010